(57)【要約】【課題】手間や費用を要さずに、空気調和機から空気調和対象空間へ衛生的な空気を供給し、空気調和対象空間にいる人間の衛生を保つことのできる技術を提供する。【解決手段】本開示の一側面に係る空気清浄媒体は、通気性素材を含み、空気中の不純物を捕捉する通気部と、空気中に存在する物質と化学反応し、ラジカルを生成させる物質を含み、通気性素材にコーティングされるラジカル生成部と、空気調和機の外表面の吸い込み部分に通気部を粘着させる粘着部と、を備える。【選択図】図１
2020179208.tif 000002
【特許請求の範囲】
【請求項１】
通気性素材を含み、空気中の不純物を捕捉する通気部と、
空気中に存在する物質と化学反応し、ラジカルを生成させる物質を含み、前記通気性素材にコーティングされるラジカル生成部と、
空気調和機の外表面の吸い込み部分に前記通気部を粘着させる粘着部と、を備える、
空気清浄媒体。
【請求項２】
前記空気清浄媒体は、空気が吸込まれる面に前記不純物が付着しない部分を備える、
請求項１に記載の空気清浄媒体。
【請求項３】
前記空気清浄媒体は、衛生機能を有する天然由来の物質を含む、
請求項１又は２に記載の空気清浄媒体。
【請求項４】
前記空気清浄媒体は、香料を含む、
請求項１から３のうち何れか１項に記載の空気清浄媒体。
【発明の詳細な説明】
【技術分野】
【０００１】
本願は、空気清浄媒体を開示する。
【背景技術】
【０００２】
例えば旅客用座席シート、衣類、寝具カバー、マスク、空気調和機内部のフィンといった物に、例えば殺菌、抗菌、除菌、消臭といった衛生機能を有する物質が加えられ、衛生を保つことが行われている。（特許文献１‐２）。
【先行技術文献】
【特許文献】
【０００３】
【特許文献１】特開２０１０−１６２０９８号公報
【特許文献２】特開２０１７−１７９６９６号公報
【発明の概要】
【発明が解決しようとする課題】
【０００４】
上記の旅客用座席シート、衣類、寝具カバー、マスク、空気調和機内部のフィンといった物に衛生機能を有する物質を加える場合、物自体の殺菌、抗菌、除菌、消臭は実現される。しかしながら、衛生機能を有する物質を加えられた物近傍の空間は清浄されない。よって、衛生機能を有する物質を加えられた物を使用する人間や、衛生機能を有する物質を加えられた物近傍に居る人間は、清浄されていない空気を吸込むこととなり、衛生は保てない虞がある。
【０００５】
特に、空気調和機内部のフィンに衛生機能を有する物質を加える場合、多額の加工費用を要する。また、フィン自体の殺菌、抗菌、除菌、消臭といった効果は実現されるが、空気調和機内部にあるフィン以外の部品に、空気調和機の吸い込み部分から吸い込まれた空気に含まれる不純物が付着するため、フィン以外の部品には、殺菌、抗菌、除菌、消臭といった効果は実現されない。よって、フィン以外の部品に付着した不純物が、空気調和機から空気調和対象空間へ吹出される空気に混合され、空気調和対象空間にいる人間は、不純物を含む空気を受動的に吸い込む虞がある。また、空気調和対象空間にいる人間が、不純物を含む空気を受動的に吸い込むことを防止するためには、空気調和機を開けて内部を頻繁に清掃する必要があるが、清掃には手間を要する。
【０００６】
そこで、本願は、手間や費用を要さずに、空気調和機から空気調和対象空間へ衛生的な空気を供給し、空気調和対象空間にいる人間の衛生を保つことのできる技術を開示する。
【課題を解決するための手段】
【０００７】
上記課題を解決するため、本発明では、空気触媒がコーティングされた通気性素材を有する空気清浄媒体を空気調和機の外表面の吸込み部分に設けることとした。
【０００８】
詳細には、本発明は、通気性素材を含み、空気中の不純物を捕捉する通気部と、空気中に存在する物質と化学反応し、ラジカルを生成させる物質を含み、通気性素材にコーティングされるラジカル生成部と、空気調和機の外表面の吸い込み部分に通気部を粘着させる粘着部と、を備える、空気清浄媒体である。
【０００９】
このような空気清浄媒体であれば、空気調和機の外表面の吸込み部分に空気清浄媒体を取り付けることができる。そして、空気清浄媒体の通気部において、吸込み空気中に含まれる、例えば塵や埃といった通気部を通過できない程度の大きさの不純物を捕捉すること
ができる。また、例えば病原菌やウイルスといった通気部を通過する虞のある大きさの不純物は、ラジカル生成部に含まれるラジカルを生成させる物質によって生成されたラジカルによって、酸化される。よって、不純物の電子状態は変化し、不純物の機能は失われる。よって、空気調和機の内部には衛生的な空気が流れ込む。よって、空気調和機から衛生的な空気が空気調和対象空間へ供給され、空気調和対象空間の衛生は保てる。
【００１０】
また、このような空気清浄媒体であれば、空気調和機のフィンに衛生機能を有する物質を加工するのではなく、空気調和機の外表面の吸込み部分に空気清浄媒体を設けるため、空気調和機のフィンへの加工費用を低減することができる。
【００１１】
また、このような空気清浄媒体であれば、空気調和機を開けて、空気調和機内部を定期的に清掃する手間を省くことができる。
【００１２】
また、このような空気清浄媒体は、取り付けの際に空気調和機を開けずに、空気調和機の外表面へ取り付けられる。よって、空気清浄媒体の設置や交換の手間を要さずに済む。
【００１３】
また、このような空気清浄媒体であれば、通気部において全ての不純物を捕捉するべく通気性素材の密度を高める必要はない。換言すれば、多量の清浄された空気が空気調和機へ吸込まれることとなる。よって、空気調和機が空気を吸込むために必要な動力を節減することができる。
【００１４】
また、空気清浄媒体は、空気が吸込まれる面に不純物が付着しない部分を備えてもよい。
【００１５】
このような空気清浄媒体であれば、捕捉される不純物が有色である場合、不純物が捕捉される部分と、不純物が付着しない部分との色の違いが明確となる。よって、空気清浄媒体の交換の頃合を容易に把握できる。
【００１６】
また、空気清浄媒体は、衛生機能を有する天然由来の物質を含んでもよい。
【００１７】
このような空気清浄媒体であれば、空気清浄媒体に触れた場合であっても、人体に影響が及ぼされる虞は低い。
【００１８】
また、空気清浄媒体は、香料を含んでもよい。このような空気清浄媒体であれば、清浄された空気を吸込んだ人間の心理や精神に良い影響を与えることができる。
【発明の効果】
【００１９】
上記の空気清浄媒体は、手間や費用を要さずに、空気調和機から空気調和対象空間へ衛生的な空気を供給し、空気調和対象空間にいる人間の衛生を保つことができる。
【図面の簡単な説明】
【００２０】
【図１】図１は、本実施形態に係る空気清浄媒体の概要図である。
【図２】図２は、本実施形態に係る空気清浄媒体の空気が吸込まれる面の概要図である。
【図３】図３は、空気清浄媒体を空気調和機の吸込み口に取り付ける際の概要図である。
【図４】図４は、空気調和機の電源を入れた際の気流の流れを示した図である。
【図５】図５は、空気清浄媒体によって、空気調和機へ吸込まれる空気が清浄される様子を説明した断面図である。
【図６】図６は、空気が清浄された後の空気清浄媒体の概要図である。
【図７】図７は、孔を有する空気清浄媒体の概要図である。
【図８】図８は、吸込み口を部分的に覆う程度の大きさの空気清浄媒体の概要図である。
【発明を実施するための形態】
【００２１】
以下、本発明の実施形態について説明する。以下に示す実施形態は、本発明の一形態であり、本発明の技術的範囲を下記の実施形態に限定するものではない。
【００２２】
図１は、本発明に係る空気清浄媒体の概要図である。空気清浄媒体１は、例えば通気部の一態様である、ポリエステルから形成され、通気性素材である、不織布２を備える。また、不織布２には、例えばラジカル生成部の一態様である空気触媒がコーティングされている。空気触媒は、例えばニチリンケミカル社製品のセルフィーユ（登録商標）が挙げられる。セルフィーユは、http://www.nichirin-chemical.co.jp/に記載されているように、空気中に存在する水や酸素と化学反応し、ラジカルを生成する。また、不織布２の色は、不純物が付着して蓄積した際に、不純物の付着を認識できるように、不純物の色とは異なる色であることが望ましい。また、不織布２には、例えばヒノキの幹から抽出される天然抗菌成分であるヒノキチオールが含まれている。
【００２３】
また、不織布２は、空気調和機７へ取り付けられる側の取付け面３に、空気調和機７と粘着する粘着部分４を備える。粘着部分４は、取付け面３の外周に沿って設けられる。また、粘着部分４は、取付け面３の外周に沿った部分以外にも、取付け面３の面内に設けられる。
【００２４】
不織布２の取付け面３とは反対側の、空気が吸込まれる吸込み面５には、不純物が付着しない防汚部分６を備える。図２は、吸込み面５の概要図を示している。防汚部分６は、例えば複数の直線が交差した模様である。
【００２５】
図３は、空気清浄媒体１を、例えば天井埋め込み型の空気調和機７の吸込み口８に取付けた際の概要図である。空気清浄媒体１は、吸込み口８を覆うように空気調和機７の外表面に取付けられる。この際、空気清浄媒体１の取付け面３の外周に沿って設けられた粘着部分４は、吸込み口８の外周に粘着される。ここで、空気清浄媒体１は、吸込み口８の大きさに合わせて適当な大きさに切られてもよい。
【００２６】
図４は、空気調和機７の電源を入れた際の気流の流れを示した図である。空気調和機７の電源を入れると、空気調和対象空間９から空気調和機７の吸込み口８に貼り付けられた空気清浄媒体１の吸込み面５へ向かって、気流が発生し、空気調和機７の内部へ空気が吸込まれる。空気調和機７へ吸込まれる空気には、例えば、埃、塵、煙草の脂、花粉、細菌、ウイルス、ハウスダストといった不純物が含まれる。これら不純物のうち、埃、塵、花粉、煙草の脂、ハウスダストといった比較的粒径が大きい不純物は、空気清浄媒体１の不織布２によって捕捉される。
【００２７】
しかしながら、細菌やウイルスのように粒径が小さい不純物は、不織布２によって捕捉されず、不織布２内の隙間を通過し、空気調和機７の中へ吸込まれる場合がある。本実施形態の空気清浄媒体１であれば、上記のような細菌やウイルスが不織布２によって捕捉されない場合においても、細菌やウイルスは、不織布２にコーティングされた空気触媒によって生成されるラジカルによって酸化され、その機能は失われる。図５は、空気清浄媒体１によって、空気調和機７へ吸込まれる空気が清浄される様子を説明した断面図である。
【００２８】
上記のようなメカニズムによって、空気調和対象空間９から空気調和機７へ吸込まれる空気は、清浄されて空気調和機７の内部へ送られる。よって、空気調和機７の内部へは清
浄された空気が流れ込む。そして、空気調和機７の内部へ流れ込んだ清浄された空気は、図４のように空気調和機７の吹出し口１０から空気調和対象空間９へ吹出される。ここで、吹出し口１０から吹出される空気を２分間８０リットル採取し、採取した空気中に含まれる菌の数を測定した。その結果、空気清浄媒体１が取り付けられている場合の菌の数は４個、取り付けられていない場合の菌の数は１４個であった。よって、空気調和対象空間９へ衛生的な空気が供給され、空気調和対象空間９の衛生は保てる。
【００２９】
また、上記のような空気清浄媒体１であれば、空気調和機７の内部のフィンに衛生機能を有する物質を加工するのではなく、空気清浄媒体１を空気調和機７の吸込み口８へ貼り付けるだけで、空気調和対象空間９へ衛生的な空気を供給することができる。よって、衛生機能を有する物質を空気調和機７へ加工する費用を低減することができる。
【００３０】
また、上記のような空気清浄媒体１であれば、空気調和機７を開け、空気調和機７の内部を定期的に清掃する手間を省くことができる。また、空気清浄媒体１は、空気調和機７の外表面に粘着されることによって取り付けられる。よって、空気清浄媒体１は、空気調和機７への設置や交換の手間を要さずに済む。
【００３１】
また、上記のような空気清浄媒体１であれば、粒径の小さな細菌やウイルスといった不純物が不織布２において捕捉されなくとも、ラジカルによって細菌やウイルスの機能が失われ、衛生的な空気を作ることができる。すなわち、必ずしも細菌やウイルスを不織布２において捕捉するために不織布２の密度を高める必要はなく、不織布２を形成するポリエステルの密度を低下させ、空気調和機７へ吸込まれる吸込み空気の量を高めることができる。このような不織布２であれば、吸い込み空気を清浄すると共に、空気調和機７が空気を吸込むために必要な動力を節減することができる。
【００３２】
また、不織布２は、例えば煙草、汗、し尿の成分であるアンモニア、卵等が腐った際に発生する硫化水素、玉葱等が腐った際に発生するメチルメルカプタン、建築材料の合板や壁紙、床、家具の接着剤等に用いられるホルムアルデヒド、といった臭気性の不純物も捕捉する、あるいは、その機能を失わせることができてもよい。このような空気清浄媒体１であれば、空気調和機７の内部及び空気調和対象空間９の消臭も実現される。
【００３３】
また、不織布２には、天然由来の成分である、例えばヒノキチオールがコーティングされている。ヒノキチオールは、例えば殺菌機能や抗菌機能といった衛生機能を有する。よって、このような空気清浄媒体１であれば、空気調和機７の吸込み口８へ空気清浄媒体１を取り付ける際、空気清浄媒体１を指でつまむ必要があるが、この際に手の皮膚細胞が壊される虞は低い。
【００３４】
また、上記のように、空気調和対象空間９の空気を清浄していると、不織布２には、捕捉された不純物が溜まっていき、空気清浄媒体１の吸込み面５の外観は変色する。図６は、空気清浄媒体１の吸込み面５が不純物の蓄積により変色した例を示している。吸込み面５が不純物の蓄積により変色した場合、吸込み面５の不純物が捕捉された部分と、不純物が付着しない防汚部分６とは、明らかに外観が異なることとなる。
【００３５】
上記のような場合には、不織布２に不純物が蓄積され、通気性が低下しているため、空気調和機７へ吸込まれる空気量は大幅に低下する。よって、空気調和機７の吹出し口１０から吹出される空気量も大幅に低下する。また、空気調和機７から吹出される空気量の低下を防止するために、吹き出し動力を上げなければならず、空気調和機７の運転に要する費用が嵩む。
【００３６】
また、このように不純物が蓄積し、吸込み面５と防汚部分６との外観が異なる程に空気
の清浄を行うと、不織布２にコーティングされた空気触媒やヒノキチオールの量は減っており、空気触媒やヒノキチオールの効果が低減している。よって、図６のように吸込み面５の外観が、防汚部分６の外観と比較して明らかに異なる場合には、空気清浄媒体１を交換する必要がある。換言すれば、上記のような防汚部分６を備える空気清浄媒体１であれば、交換の頃合を容易に把握することができる。
【００３７】
また、空気清浄媒体１は、空気調和機７に吸込まれる空気の気流によって、自然に空気調和機７の筐体方向へ張り付く。よって、空気調和機７が運転している際に、空気調和機７から空気清浄媒体１が剥がれ落ちる可能性は低い。
【００３８】
また、不織布２には、例えば人間をリラックスさせる効果や集中力を増す効果を有する香料が含まれていてもよい。このような空気清浄媒体１であれば、空気調和機７の吹出し口１０から上記の香料が混ざった空気が吹出され、空気調和対象空間９にいる人間が上記の香料の混ざった空気を吸込む。よって、香料の混ざった空気を吸込んだ人間の心理や精神に良い影響を与えることができる。
【００３９】
また、空気清浄媒体１は、粘着部分４の代わりに不織布２の取付け面３の外周に沿って、マジックテープ（登録商標）を備えてもよい。この場合、マジックテープのメス側は、空気調和機７の吸込み口８の外周に、例えば両面テープによって粘着される。一方で、マジックテープのオス側は、空気清浄媒体１の取付け面３の外周に沿って設けられる。また、マジックテープのメス側が取付け面３の外周に沿って設けられ、マジックテープのオス側が吸込み口８の外周に設けられてもよい。このような空気清浄媒体１であれば、空気清浄媒体１を空気調和機７へ頻繁に着脱することができる。
【００４０】
また、空気清浄媒体１は、孔を有してもよい。図７は、孔１１を有する空気清浄媒体１の例を示している。このような空気清浄媒体１であれば、空気調和機７へ吸込まれる空気を清浄しつつも、空気調和機７へ吸込まれる空気量を向上させることができる。よって、空気調和機７の運転費用を節減することができる。孔１１の位置、形状、大きさ、数等は適宜決定されてよい。
【００４１】
また、空気清浄媒体１は、空気調和機７の吸込み口８を部分的に覆う程度の大きさであってもよい。図８は、吸込み口８を部分的に覆う程度の大きさの空気清浄媒体１の例を示している。このような空気清浄媒体１であれば、空気清浄媒体１を作製する費用を低減することができる。また、空気調和機７へ吸込まれる空気を清浄しつつも、空気調和機７へ吸込まれる空気量を向上させることができる。よって、空気調和機７が空気を吸込むために必要な動力を節減することができる。また、空気調和機７を部分的に覆う程度の大きさの空気清浄媒体１を吸込み口８へ複数取り付けてもよい。
【００４２】
また、空気清浄媒体１の形状はひし形でも正方形でも台形でもなんでもよい。また、空気触媒は、不織布２の全面にわたってコーティングされていても、一部分にのみ加えられていてもよい。また、ヒノキチオールや香料は、不織布２の全面にわたって加えられていても、一部分に加えられていてもよい。
【００４３】
また、不織布２の素材は、何でもよく、また、例えば市販のペットボトル容器から得られるポリエステルを不織布２の素材に再利用してもよい。また、不織布２の代わりに、埃や塵程度の大きさの不純物を捕捉し、空気触媒をコーティングできる通気性の材料を用いてもよい。また、空気調和機７の形状は何でもよい。また、空気調和機７の種類は、天井埋め込み型に限らず、天井吊り下げ型、壁掛け型、床置き型などであってもよい。
【００４４】
また、空気清浄媒体１が粘着部分４やマジックテープを備えず、空気調和機７が空気清
浄媒体１を装着可能な機構を備えていてもよい。また、粘着部分４は、空気清浄媒体１の清浄機能が著しく低下せず、空気調和機７へ貼り付けることができる程度に取付け面３に設けられていてもよい。また、防汚部分６は、複数の直線が交差した模様に限らず、空気清浄媒体１の使用後に、不純物を捕捉した部分と防汚部分６とが形成する模様が外部から視認でき、交換の頃合を容易に把握できるような形態であればよい。
【符号の説明】
【００４５】
１・・空気清浄媒体
２・・不織布
３・・取付け面
４・・粘着部分
５・・吸込み面
６・・防汚部分
７・・空気調和機
８・・吸込み口
９・・空気調和対象空間
１０・・吹出し口
１１・・孔
【図１】
2020179208.tif 000003
【図２】
2020179208.tif 000004
【図３】
2020179208.tif 000005
【図４】
2020179208.tif 000006
【図５】
2020179208.tif 000007
【図６】
2020179208.tif 000008
【図７】
2020179208.tif 000009
【図８】
2020179208.tif 000010
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
通気性素材を含み、空気中の不純物を捕捉する通気部と、
空気中に存在する物質と化学反応し、ラジカルを生成させる物質を含み、前記通気性素材にコーティングされるラジカル生成部と、
前記通気部の縁に沿って設けられ、空気調和機の外表面の吸い込み部分に前記通気部を固定する固定部と、を備える、
空気清浄媒体。